(57)【要約】【課題】  簡単な構成でファインダレンズの位置規制を形成し、射出成型時の変形等、製造上の問題を防ぎ生産性を向上させると共に、パララックス調整作業の作業効率を改善する。【解決手段】  ファインダレンズの振れ止め溝１０の形状は、各レンズの敏感度や調整の有無により形状を変化させ、レンズが当接する振れ止め溝１０の壁１０ａ、１０ｄ、１０ｅの寸法精度を保証する。【選択図】  図６
2008191379.tif 000002
【特許請求の範囲】
【請求項１】
被写体像を形成する対物光学系と、該被写体像を視認可能な接眼光学系とを有するファインダ光学系のファインダ倍率を変更できるファインダ装置において、
前記ファインダ光学系を光軸方向へガイドするガイド手段と、光軸方向と直交する方向への移動を規制する規制手段とを有し
前記規制手段は、ファインダ倍率の変更に応じて、その規制量を変化させること特徴とするファインダ装置。
【請求項２】
被写体像を形成する対物光学系と、該被写体像を視認可能な接眼光学系とを有するファインダ光学系のファインダ倍率を変更できるファインダ装置において、
前記ファインダ光学系を光軸方向へガイドするガイド手段と、光軸方向と直交する方向への移動を規制する規制手段とを有し
前記規制手段による規制量が、ファインダ光学系の各レンズにより異なること特徴とするファインダ装置。
【請求項３】
被写体像を形成する光学系の一部を光軸方向と直交する方向へ移動することでパララックス調整を行うファインダ装置であり、
パララックス調整を行うズームの位置での前記規制手段による規制量は、その他ズームの位置での前記規制手段による規制量より小さいことを特徴とする請求項１または２のファインダ装置。
【請求項４】
前記規制手段は、前記ファインダ光学系に含まれる部材に設けられた突起と、前記規制手段により構成されていることを特徴とする請求項１、２または３のファインダ装置。
【発明の詳細な説明】
【技術分野】
【０００１】
本発明は、ファインダ倍率を可変としたファインダ装置のレンズ保持機構に関するものである。
【背景技術】
【０００２】
従来、ファインダレンズが光軸方向に進退する構造のカメラのファインダ機構においては、ファインダレンズを光軸方向へガイドするように設けられたガイドバーにファインダレンズを嵌合させ、ファインダ地板等の構造物でファインダレンズの回転止めを形成し、撮影レンズ鏡筒のズーム駆動に連動して光軸方向へ進退するものが一般的である。
【０００３】
例えば、特許文献１では、光軸方向に延出するガイド軸と、このガイド軸と嵌合する嵌合部をそれぞれ光軸の外側に有する進退可能な２つのファインダレンズを有している。また、これらファインダレンズの間で、上記ガイド軸に巻回されて配置されており、上記ファインダレンズを互いに離間する方向に付勢し、更に上記ガイド軸回りの回動方向に付勢するコイルバネを具備しており、レンズ駆動時の像揺れを防ぐ構成である。
【０００４】
また、ファインダは、カメラを構成する各部品の製造上の寸法誤差の積み重ねにより、設計中心からの光学的なずれが生じ、これを補正するための調整が必要になることがある。この調整は主に、ファインダ像のピント調整を行う視度調整と、実際の撮影画角とファインダ像の画角とを所定距離で一致させるために行う視差（パララックス）調整とに大別される。視差調整は、ファインダ光学系を構成する各部品で補正することが可能である。ファインダの視差調整は、本来、その性質上、ファインダのレンズ保持装置をカメラ本体に取り付けた状態で調整することが望ましく、その調整は、特に敏感度の高いレンズ等を移動させる微妙な作業が必要な為、高度な熟練を要するものである。例えば、実像式のファインダについて考えると、（１）焦点面に存在する視野枠を光軸と直交する方向に移動する。（２）プリズムの傾きを調整する。（３）対物レンズを光軸と直交する方向に移動させる等、種々の方法が提案され、かつ実施されてきた。
【０００５】
例えば、特許文献２では、ファインダユニットを金属製のファインダ取り付けアームに取り付け、そのファインダ取り付けアームの弾性変形を利用してファインダユニットの先端を移動させてパララックスを補正する。そして、パララックスが補正された位置でファインダユニットの先端をレンズ鏡筒の固定筒に形成されたフランジに固定する。これにより、別途パララックス調整機構を設けずにパララックス調整を行うことができる構成となっている。
【０００６】
また、特許文献３では、ファインダ−対物レンズ群の第２、第３対物レンズを撮影光学系のズ−ミングに連動させて光軸方向に移動させてファインダ−光学系を変倍するカメラの実像式ズ−ムファインダ−を開示する。これは、シャフトに軸着しコイルばねによって反時計方向の旋回勢力を与えた上記対物レンズ群の第１、第４対物レンズの旋回移動位置を視差調整ねじによって定めて視差調整する。さらに、コイルスプリングによって押動勢力を与えた上記第１対物レンズの光軸方向位置を視度調整ねじによって定めて視度調整する構成となっている。
【特許文献１】特開平６−２５０２６３号公報
【特許文献２】特開２００３−０６６５１３号公報
【特許文献３】特開２００３−００５２５５号公報
【発明の開示】
【発明が解決しようとする課題】
【０００７】
例えば、特許文献１では、ファインダ地板にファインダレンズの駆動範囲と同等の長さの長穴をファインダ地板に一体的に設け、ファインダレンズの回転止めとしている。この回転止めを形成するにあたり、ファインダ像揺れなどの懸念から寸法公差を厳しく設定する必要がある。しかし、長さの比較的長い長穴の全域を嵌合公差で保証するのは困難である。例えば射出成型、長穴形状に変形等が生じやすく、ファインダ像揺れ不良の原因となっていた。
【０００８】
また、多くのファインダ装置では、上記で述べたように対物レンズを光軸と直交する方向に移動させる方法によりパララックス調整を行っている。この時、ファインダユニット組み完成状態において、対物系の一部のレンズを作業者が指標を観察しながら移動させる作業を行い、所望の位置にセットした後、接着を行い完成となる。
【０００９】
しかし、このような作業者がレンズを光軸と略直交方向へ移動させるパララックス調整作業では、レンズを移動させようとしたとき、レンズを保持するホルダーがレンズと共に移動してしまう。そのため、レンズがレンズホルダに対して所望の位置まで移動したかを確認するのが難しく、作業効率が悪かった。
【課題を解決するための手段】
【００１０】
本発明のファインダ装置は、被写体像を形成する対物光学系と、該被写体像を視認可能な接眼光学系とを有するファインダ光学系のファインダ倍率を変更可能としたファインダ装置において、
前記ファインダ光学系を光軸方向へガイドするガイド手段と、光軸方向と略直交する方向への移動を規制する規制手段とを有し、前記規制手段は、ファインダ倍率の変更に応じて、その規制量を変化させることを特徴としている。
【００１１】
また、本発明の他の特徴とするところは、被写体像を形成する対物光学系と、該被写体像を視認可能な接眼光学系とを有するファインダ光学系のファインダ倍率を変更可能としたファインダ装置において、前記ファインダ光学系を光軸方向へガイドするガイド手段と、光軸方向と略直交する方向への移動を規制する規制手段とを有し、前記規制手段による規制量が、ファインダ光学系内の各レンズにより異なることを特徴としている。
【発明の効果】
【００１２】
本発明によれば、レンズの回転規制手段となる長穴の全域を厳しい公差で保証する必要がない。そのため、射出成型時の変形等の問題が発生しにくくなり、結果として像揺れ不良などが起きにくいファインダ装置を提供することが出来る。さらに、作業者がレンズを光軸と略直交方向へ移動させるパララックス調整作業の効率を向上させることができる。
【発明を実施するための最良の形態】
【００１３】
（実施例１）
図１は、本実施例を適用したファインダ装置の構成図である。１はファインダ装置を支持するファインダ地板である。また、２で示される部品はファインダ対物系を構成する対物光学系としての部品である。この部品２は、被写体像を形成する。３で示される部品は接眼光学系としてのファインダ接眼系を構成する部品である。この部品３は、被写体像を視認可能なものとする。この部品２、部品３とを有するファインダ光学系について、次に説明する。
【００１４】
まず、対物系２の構成について説明する。対物系２はレンズ２１、２２，２３，２４の４枚のレンズで構成されている。レンズ２１はファインダ地板１の前面１ｃに貼り付け固定される。レンズ２２は、板ばね状のマスク４１の付勢によりレンズホルダ４２へ保持される。レンズ２２に関するパララックス調整機構は後で詳しく説明する。レンズ２３は前面に板ばね状のマスク４３を有する。レンズ２４は単独で構成されレンズホルダ４２との間にばね１４が設けられ、互いに近づく方向へ付勢される。
【００１５】
レンズ２２，２３，２４は、不図示の鏡筒のズーム動作に連動して光軸方向へ移動可能となってるレンズである。レンズ２２を保持するレンズホルダ４２とレンズ２４は、ガイドバー１１に嵌合している。また、レンズ２３は、ガイドバー１２に嵌合している。よって、レンズホルダ４２とレンズ２４は、軸Ｐに沿って光軸方向へ移動可能となっており、レンズ２３は、軸Ｑに沿って光軸方向へ移動可能となっている。ガイドバー１１はファインダ地板１の貫通穴１ａと嵌合し、保持される。同様にガイドバー１２はファインダ地板１の貫通穴１ｂと嵌合し、保持される。
【００１６】
次に接眼系３について説明する。プリズム３１は、視野枠１６と共にファインダ地板１へ組み込まれ、押さえ板１５により固定される。プリズム３２、アイピースレンズ３３は共にレンズホルダ１７へ組み込まれ、保持される。レンズホルダ１７は結合爪１７ａの弾性力を利用して、ファインダ地板１へ結合される。
【００１７】
ここで、レンズ２２によるパララックス調整機構について詳細に述べる。図２はレンズ２２を含むユニットの構成図である。図２で示すように、レンズ２２の前面に板ばね状のマスク４１を有する。マスク４１は、レンズホルダ４２の爪４２ｄと係合するための穴４１ａが設けられ、弾性変形を利用してレンズ２２を挟むようにレンズホルダ４２へ保持する。図３は、レンズ２２がレンズホルダ４２へ組み込まれた状態の図である。このように、マスク４１の弾性変形を利用して組み込まれたので、レンズ２２との間に適度な摩擦を有し、レンズ２２の突起２２ａを動かすことにより、レンズ２２はファインダ光軸Оに対して直交する方向へ移動可能となっている。パララックス調整を行った後、レンズ２２とレンズホルダ４２を接着し、固定する。
【００１８】
図３はレンズ２２およびレンズホルダ４２をファインダ地板１へ組み込んだ状態の断面図である。レンズホルダ４２は、ファインダ地板１の穴１ｃに嵌合しているガイドバー１１に保持されている。レンズホルダ４２の駆動ピン４２ｂは、鏡筒のズーム駆動に連動して作動する不図示の部品、例えば鏡筒のズーム動作に連動して動作するカム板のカム溝等に係合することにより、レンズホルダ４２は光軸方向へ進退可能となる。
【００１９】
レンズホルダ４２はマスク４１のばね部４１ｂがファインダ地板１のレンズ摺動面１ｅに当接することで軸Ｐ（軸穴４２ａ）を中心に時計周りに回転力が生じる。振れ止めピン４２ｃがファインダ地板１の振れ止め溝１０に当接し、レンズホルダ４２の回転が規制される。ズーム動作中は、常に振れ止めピン４２ｃが、適度な付勢力を保ちながら、振れ止め溝１０に当接する。
【００２０】
レンズ２３、レンズ２４についても、レンズホルダ４２の構成と同様に、ファインダ地板１に取り付けられる。レンズ２３はガイドバー１２に嵌合し、マスク４３のばね部４３ｂがファインダ地板１のレンズ摺動面１ｅに当接することで軸Ｑを中心に時計周りに回転力が生じる。また、レンズ２４はガイドバー１１に嵌合し、レンズホルダ４２のばね掛け４２ｅとの間に掛けられたばね１４による付勢で軸Ｐを中心に反時計周りに回転力が生じる。ズーム動作中は、常に振れ止めピン２３ｃ、２４ｃが、適度な付勢力を保ちながら、振れ止め溝１０に当接する。
【００２１】
ここで、パララックス調整時の状態と振れ止め溝１０の詳細について述べる。つまり、規制手段１０としての振れ止め溝１０が、ファインダ倍率の変更に応じて、その規制量が変化可能であることについて述べる。
【００２２】
図５、６はファインダユニットを上面から見た図であり、図５は撮影レンズ鏡筒がワイドポジションの状態であり、図６は撮影レンズ鏡筒がテレポジションの状態である。図５，６に示すように、本実施例における振れ止め溝１０は、各レンズ、またそのポジションによりその幅が異なっている。
【００２３】
上述したように、レンズホルダ４２、レンズ２３、レンズ２４はそれぞれ振れ止め溝１０に対し適度な付勢力で片寄せされており、その片寄せされる振れ止め溝１０の精度が保つことができれば、ファインダ像は像揺れしない。
【００２４】
図７は振れ止め溝１０の詳細とレンズおよびレンズホルダの振れ止めピンの関係を詳細に示した図である。レンズホルダ４２、レンズ２３、レンズ２４の各振れ止めピン４２ｃ、２３ｃ、２４ｃはズーム動作時、それぞれ異なる経路を進退する。
【００２５】
ここでズーム動作時の詳細を説明する。レンズホルダ４２の振れ止めピン４２ｃは、図中の右側に付勢されているので振れ止め溝１０の壁１０ａに沿ってワイドからテレまで移動する。テレポジションでは壁１０ｄとの隙間が減少しガタのない状態となる。壁１０ｂには接触せず、壁１０ｃは誘い込みの斜面となっているので、ワイドポジションからテレポジションへ動作する過程において溝幅が狭くなっても、滑らかに移動することができる。
【００２６】
レンズ２３の振れ止めピン２３ｃは、図中の右側に付勢されているが、レンズの敏感度が高いのでワイド、テレ間のどのポジションにおいても壁１０ａと壁１０ｄに挟まれ、ガタのない嵌合状態となり精度が保たれている。
【００２７】
レンズ２４の振れ止めピン２４ｃは、図中の左側に付勢されているので振れ止め溝１０の壁１０ｅに沿ってワイドからテレまで移動する。壁１０ｆには接触しない。
【００２８】
本実施例では、パララックス調整はテレ状態で行う。上記のように構成された振れ止め溝１０を有するので、パララックス調整を行うテレ状態のときに振れ止め溝１０により位置規制がなされる。したがって、ガタが少なくなるように設定されてうる。このような状態で作業者がレンズ２２の突起２２ａを移動させてパララックス調整を行ってもレンズホルダ４２自体が動くことがない。つまり、レンズ２２の位置のみを動かすことが出来るので、パララックス調整の作業性が向上する。
【００２９】
さらに、振れ止め溝１０の形状が一様な長穴形状でなく、各レンズの敏感度や調整の有無により形状を変化させている。本実施例の構成では、厳しい寸法精度が要求される部分は、振れ止め溝１０の１０ａ、１０ｄ、１０ｅのみでよく、その他の寸法は厳しい精度を必要としないので、製造過程における生産性が向上する。
【００３０】
また、本実施例においては、テレ状態にてパララックス調整を行っているが、これとは別に、例えば、ワイド、テレ間以外の区間にパララックス調整のためのポジションを設けても良い。
【図面の簡単な説明】
【００３１】
【図１】本発明の実施例を適用したファインダ装置の構成図である。
【図２】本発明の実施例を適用したパララックス調整機構を含むレンズユニットの構成図である。
【図３】本発明の実施例を適用したパララックス調整機構を含むレンズユニットの構成図である。
【図４】本発明の実施例を適用したファインダレンズ保持機構を示す断面図である。
【図５】本発明の実施例を適用したファインダ装置の上面図である。
【図６】本発明の実施例を適用したファインダ装置の上面図である。
【図７】本発明の実施例を適用したファインダ装置の上面詳細図である。
【符号の説明】
【００３２】
１  ファインダ地板
２  対物系
３  接眼系
１０  振れ止め溝
１１、１２  ガイドバー
１３、１４  ばね
１５  押さえ版
１６  視野枠
１７  レンズホルダ
２１、２２、２３、２４  対物レンズ
３１、３２  プリズム
３３  アイピースレンズ
４１  マスク
４２  レンズホルダ
４３  マスク
【図１】
2008191379.tif 000003
【図２】
2008191379.tif 000004
【図３】
2008191379.tif 000005
【図４】
2008191379.tif 000006
【図５】
2008191379.tif 000007
【図６】
2008191379.tif 000008
【図７】
2008191379.tif 000009